(57)【要約】【課題】電話番号・メールアドレス・住所・氏名・血液型等の個人情報をＱＲコード化し、ペンダントトップに装着し、個人が情報を発信したい時に、発信する相手の携帯電話等のバーコード読み取り機能により読み取らせることで、迅速・正確且つ容易に情報を伝達することを可能にする。【解決手段】お洒落なペンダントトップ１にＱＲコード２の印刷物を装着し、ＱＲコード２の表面をプラスチックレンズカバー３で保護するかたちで装着したものにフック４をつけたものを携帯電話・旅行カバン等に取り付け携帯させ、必要な時に携帯電話等のバーコード読み取り機能により読み取らせる。【選択図】図１
0003122869.tif 000002
【実用新案登録請求の範囲】
【請求項１】
個々人の氏名、ニックネーム、電話番号、メールアドレス、住所、生年月日などやメッセージをインプットしたＱＲコードを作成し、そのＱＲコードを印刷したものをペンダントトップ状の金具の形状に合わせて切り取り、ペンダントトップに装着してストラップ及びフックをつけたＱＲコード携帯用ペンダント。
【請求項２】
人及びペットを特定する情報（本人または飼い主の氏名、住所、電話番号、メールアドレス、血液型など）やメッセージをインプットしたＱＲコードを作成し、そのＱＲコードを印刷したものをペンダントトップ状の金具の形状に合わせて切り取り、旅行かばんやペット用迷子札として使用できるようにペンダントトップに切り取ったＱＲコードを装着してフック及び金具をつけたＱＲコード迷子札。
【考案の詳細な説明】
【技術分野】
【０００１】
本考案は、ＱＲコードによる個々人の情報発信に関するものであり、直接肉眼で読み取れる文字によるものではなく、ペンダントトップに装着したＱＲコード（自己の電話番号・メールアドレス・連絡場所等の情報をインプット）を必要な場合及びそれに近い状況において携帯電話等のバーコード読み取り機能を介して発信するものである。
【背景技術】
【０００２】
近年、携帯電話は広く一般に普及し、幅広い年齢層が所有している。それに伴い、携帯電話による通話やメールの使用が一般的となり、個々人が他人にメールアドレスや電話番号等を伝達する機会も増加してきている。従来は、メールアドレスや電話番号等を伝達する際に、赤外線通信やメールの送受信、紙面等に表した文字もしくは聴き取って手作業で入力していく等の方法を取るため、手間が掛かると同時に情報の正確性や情報保護面での問題がある。このことから、自己の情報を不特定多数の人が肉眼で認識できる形態ではない個人情報の発信方法として、また情報伝達の正確性・迅速性を高めるために、携帯電話等のバーコード読み取り機能を活用するものである。ＱＲコードを用いた情報発信については、今までは企業側から個人へ向けての情報発信が主であり（特許文献１参照）、個々人の情報発信については、実用に供されていない。
【特許文献１】特開２００２−１１１９０９号公報
【考案の開示】
【考案が解決しようとする課題】
【０００３】
情報を伝達する際に、紙面に筆記したり、一文字ずつ聞き取って手作業をするのは手間がかかり、また伝達が不正確になりやすいという問題があり、伝達したい情報が正確迅速に伝わらない状況が多かった。
【０００４】
また、迷子札は、本来迷子になった時点でその役目を果たせばよく、通常時においては人及びペットを特定する情報を人目につかす必要がないにもかかわらず、従来の迷子札は直接文字を記載しており、一目で人及びペットを特定する情報の判別が可能なため、情報保護面で問題がある。また、従来の迷子札は、アクセサリー感覚で使用できるという所有者の満足度が低いものが多く、逆にアクセサリー感覚が高いものについては、記載できる情報量が少ないなどの問題点があった。
【課題を解決するための手段】
【０００５】
今回、携帯電話の基本機能であるバーコード読み取り機能を使用し、印刷されたＱＲコードを携帯用ペンダントに装着することを考案した（図１）。このＱＲコード携帯用ペンダントは、フックを個々人が持っている携帯ストラップ等に装着して使用することができる。あるいは、フックの代わりにストラップをつけて（図２）、携帯用オリジナルストラップとして装着することができる。そして、携帯電話のバーコード読み取り機能でＱＲコード携帯用ペンダントのＱＲコードを読み取ることで、即時に、また手軽に正確な情報伝達を可能にするものである。
【０００６】
また、印刷されたＱＲコードを携帯用ペンダントに装着したものにフックまたは金具を取り付けて、人及びペットの迷子札として使用することを考案した（図３）。携帯電話のバーコード読み取り機能でＱＲコード携帯用ペンダントのＱＲコードを読み取ることで人およびペットの個人情報を表示するため、情報保護面において効果を発揮し、従来の迷子札よりも多くの情報の伝達を可能にするものである。
【考案の効果】
【０００７】
本考案のＱＲコード携帯用ペンダントにより、従来わずらわしかったメールアドレス及び電話番号等の情報の伝達が効率的に行えるとともに、ハイパーリンクにより即時電話発信及びメールアドレスのセットが可能となる。また、電話のかけ間違いやメールの送付間違いを防ぐことができる。
【０００８】
本考案のＱＲコード迷子札により、情報保護面において問題のあった従来の迷子札の問題を解決すると共に、ＱＲコードそのものをアクセサリー感覚で使用できるデザインの一部とすることで、所有者の満足度を高めることが可能となる。
【実施例１】
【０００９】
本考案の実施例を図面に基づいて詳細に説明する。図１は、ペンダントトップ１にＱＲコード２の印刷物を装着し、その表面部にプラスチックカバーレンズ３をＱＲコード２の保護として装着し、フック４をつけた平面図である。図１では丸型のペンダントトップ１を例として挙げて図示しているが、丸型の該ペンダントトップ以外の角型ペンダントトップや大きさの異なるペンダントトップにも当然図示していないが、前記ＱＲコード２の印刷物が装着される。
【００１０】
前記ペンダントトップ１は、旅行カバン等に装着し、氏名・住所・電話番号・メールアドレス等の個人情報をインプットしたＱＲコード２を読み取ることで名札としての情報を発信する。
【実施例２】
【００１１】
図２では、前記ペンダントトップ１にストラップ５を装着したもので、携帯電話のストラップとして使用することが可能となり、常に持ち歩く事が多い携帯電話に装着することで、情報伝達の利便性も高めている。このＱＲコード携帯ストラップを、情報を伝達しようとする相手に提示し、携帯電話等のバーコード読み取り機能により前記ＱＲコード２を読み取らせることで、電話番号・メールアドレス等の個人情報を迅速および正確に発信・伝達する。
【実施例３】
【００１２】
図３では、前記ペンダントトップ１に金具６を装着したもので、フックを装着したものに比べて取り付け・取り外しが容易にできなくしたものである。このため、ネックレスやチェーン、ペットの首輪等に取り付けて徘徊老人・ペット等に携帯させ、氏名・住所・電話番号・血液型・特徴等の個有情報をインプットしたＱＲコード２を携帯電話等のバーコード読み取り機能により第三者に読み取ってもらうことで迷子札としての情報を発信し、発見者からの連絡を期待することができる。
【図面の簡単な説明】
【００１３】
【図１】本考案ＱＲコード携帯用ペンダントの代表的な例として、丸型のペンダントトップにＱＲコードを装着し、フックをつけた平面図である。（実施例１）
【図２】本考案ＱＲコード携帯用ペンダントの代表的な例として、丸型のペンダントトップにＱＲコードを装着し、ストラップをつけた平面図である。（実施例２）
【図３】本考案ＱＲコード携帯用ペンダントの代表的なとして、丸型のペンダントトップにＱＲコードを装着し、金具をつけた平面図である。（実施例３）
【符号の説明】
【００１４】
１    ペンダントトップ
２    ＱＲコード
３    プラスチックカバーレンズ
４    フック
５    ストラップ
６    金具
【図１】
0003122869.tif 000003
【図２】
0003122869.tif 000004
【図３】
0003122869.tif 000005